(57)【要約】  【課題】  収納箱に収納された遊技媒体の落下を防止することができる収納箱を提供すること。  【解決手段】  収納箱１の側面の所定部（本実施例では、筐体部２の上位側）に、収納箱１の側面側を覆う伸縮性のカバー４の一端を取着し、そのカバー４の一端の非取着側に収納箱１の周縁の長さより短い伸縮性の弾性部材５を環状に配設する。このように構成することによって、弾性部材５は、収納箱１の側面位置において、弾性的に伸張することで該弾性部材５の弾性回復力によって収納箱１に圧着され、また、収納箱１の開口面６の上方位置において、弾性的に萎縮することで該収納箱１の開口面６をカバー４によって被覆させる。  【選択図】        図４ 
2005118412.tif 000002
【特許請求の範囲】
【請求項１】
遊技媒体を出入するための開口を有した箱状の本体部材と、その本体部材の両側面の前記開口側において外方に張り出す状態で一体成形された把持部とを備え、他の収納箱を載置可能に構成された収納箱において、
前記本体部材の側面側の所定部分に取着されて、該本体部材の側面側を筒状に覆う被覆部材と、
その被覆部材の非本体部材取着側を絞込可能にする絞込部材とを備えていることを特徴とする収納箱。
【発明の詳細な説明】
【技術分野】
【０００１】
本発明は、遊技媒体を収納する収納箱に関するものである。
【背景技術】
【０００２】
従来、遊技機の特賞により払い出される遊技媒体が遊技機の貯留皿に充填された場合は、以降の遊技媒体の払い出し動作を円滑に行うために、遊技者によって貯留皿から予め用意された収納箱に移される。また、収納箱に収納された遊技媒体は、遊技者が遊技を中断して景品交換を行うまで、予め用意された収納位置又は遊技者の近傍に置かれるものである。
【特許文献１】特開２００３−１７５２６７号公報
【発明の開示】
【発明が解決しようとする課題】
【０００３】
しかしながら、収納箱の使用分だけ遊技者の近傍に置かれる収納箱が増えてしまうので、遊技者は、１の収納箱にできるだけ多数の遊技媒体を収納させる傾向があり、遊技媒体が収納箱に山盛り状態となってしまい、例えば、景品交換時の収納箱の移送時等に遊技媒体がこぼれて（落下して）、遊技者に不利益を与えてしまうという問題点があった。
【０００４】
本発明は、上述した問題点を解決するためになされたものであり、収納箱に収納された遊技媒体の落下を防止することができる収納箱を提供することを目的としている。
【課題を解決するための手段】
【０００５】
この目的を達成するために請求項１記載の収納箱は、遊技媒体を出入するための開口を有した箱状の本体部材と、その本体部材の両側面の前記開口側において外方に張り出す状態で一体成形された把持部とを備え、他の収納箱を載置可能に構成されており、前記本体部材の側面側の所定部分に取着されて、該本体部材の側面側を筒状に覆う被覆部材と、その被覆部材の非本体部材取着側を絞込可能にする絞込部材とを備えている。
【発明の効果】
【０００６】
請求項１記載の収納箱によれば、絞込部材は、本体部材の側面位置において、被覆部材の非本体部材取着側を絞り込むことによって、該被覆部材を本体部材の側面側に固定し、また、本体部材の開口上方位置において、被覆部材の非本体部材取着側を絞り込むことによって、該本体部材の開口を被覆部材によって被覆させる。従って、収納箱に遊技媒体を収納した状態で絞込部材を本体部材の上方位置にすることで、被覆部材によって本体部材の開口から遊技媒体が落下することを防止することができるので、遊技者に不利益を与えてしまうことを未然に防止することができるという効果がある。
【発明を実施するための最良の形態】
【０００７】
以下、収納箱１を使用するパチンコ遊技機（以下、単に「パチンコ機」という）と、複数のパチンコ機を配設した遊技場との一実施形態を、図面に基づいて詳細に説明する。図１は、複数のパチンコ機１０を配設した遊技場の遊技システムＨを模式的に示した外観図であり、図２はパチンコ機１０の正面図であり、図３は、遊技者が遊技を行っている状況を模式的に示した側面図である。
【０００８】
図１において、かかる遊技システムＨは、１の遊技場内に設置されるものであり、多数のパチンコ機１０が設けられている。各パチンコ機１０は、複数の列状を形成して配設されている。１の列は複数のパチンコ機１０により構成されており、１の列内のパチンコ機１０は、その正面が通路（遊技者）側となり、かつ、少なくとも一方の側面が隣接するパチンコ機１０側に位置するように設置される。
【０００９】
１の列に属するパチンコ機１０の背面側には、他の列のパチンコ機１０が、その背面を向けて、即ち、互いの背面側が向かい合うように配設されている（図示を省略）。また、１の列の通路を挟んだ対向面側には、更に別の列のパチンコ機１０が、その正面側を通路に向けて配列されている。本実施の形態の遊技システムＨでは、この１の列を１のグループ、通称「島」を形成しており、島を形成する各パチンコ機１０のそれぞれは、ケーブルを介してその島に対応して各々設けられた島管理装置２００に接続されている。
【００１０】
島管理装置２００は、島に属する各パチンコ機１０から送信される情報を受信し、その受信した情報に基づいて各パチンコ機１０の状態を管理するものである。また、島管理装置２００には、液晶ディスプレイが備えられており、各パチンコ機１０のそれぞれの稼働状況が表示されるように構成されている。
【００１１】
図２に示すように、パチンコ機１０は、当該パチンコ機１０の外殻を形成する外枠１１を備えており、この外枠１１の一側部に内枠１２が開閉可能に支持されている。外枠１１は、木製の板材により全体として矩形状に構成され、小ネジ等の離脱可能な締結具により各板材が組み付けられている。よって、釘やリベットを使って各板材を組み付けていた従来構造と比べて、構成部材の再利用が容易にされている。本実施の形態では、外枠１１の上下方向の外寸は８０９ｍｍ（内寸７７１ｍｍ）、左右方向の外寸は５１８ｍｍ（内寸４８０ｍｍ）となっている。なお、外枠１１を樹脂やアルミニウム等の軽金属により構成するようにしてもよい。
【００１２】
内枠１２は合成樹脂、具体的にはＡＢＳ（アクリロニトリル・ブタジエン・スチレン）樹脂により構成されている。ＡＢＳ樹脂は、材料コストが安価で、メッキ等ののりが良く装飾性に優れ、耐衝撃性が大きいので、内枠１２の構成材料として好適である。内枠１２の開閉軸線は、パチンコ機１０の正面からみて遊技球発射ハンドル１８の設置箇所の反対側に上下に延設されており、この開閉軸線を軸心にして内枠１２が前方側に開放できるようにされている。開閉軸線は遊技球発射ハンドル１８の反体側に設けられているので、内枠１２を大きく開放することができる。通常パチンコホールでは、パチンコ機１０は互いに隣接して配設されるので、開閉軸線を遊技球発射ハンドル１８側に設けると、内枠１２と共に開放される遊技球発射ハンドル１８が隣のパチンコ機１０に当接して開放量が減少してしまうからである。
【００１３】
内枠１２には、その最下部に下皿ユニット１３が取り付けられると共に、下皿ユニット１３を除く範囲で内枠１２を覆うようにして前面枠セット１４が取り付けられている。下皿ユニット１３は、内枠１２に対してネジ等の締結具により固定されている。また、前面枠セット１４は、内枠１２に対して開閉可能に取り付けられており、内枠１２と同様、パチンコ機１０の正面からみて左側に上下に延びる開閉軸線を軸心にして前方側に開放できるようになっている。この内枠１２の外周には、前面側へ突設された外周壁が形成されており、その外周壁の内側に前面枠セット１４が配設される。即ち、内枠１２に前面枠セット１４を取り付けた状態では、前面枠セット１４の側面外周は、内枠１２の外周壁により囲繞されるので、内枠１２と前面枠セット１４との間への針金等の挿入を困難なものにして、不正行為を抑制することができる。
【００１４】
下皿ユニット１３には、ほぼ中央部に球受皿としての下皿１５が設けられ、排出口１６から排出された遊技球が下皿１５内に貯留可能に構成されている。下皿ユニット１３は、内枠１２と同様に、難燃性のＡＢＳ樹脂により形成されている。必ずしも、この下皿１５のすべてをＡＢＳ樹脂で形成することは必要でないが、少なくとも下皿１５の表面部分、即ち下皿１５の表面層と下皿１５奥方の前面パネルとをＡＢＳ樹脂で形成することが好ましい。下皿１５には、火のついた煙草が放置される危険があるので、少なくともその表面部分を難燃性のＡＢＳ樹脂で形成することにより、パチンコ機１０の損傷や火災の発生を抑止できるからである。なお、前面パネルには、スピーカからの音を出力するためのスピーカ孔２４が穿設されている。
【００１５】
下皿１５の正面下方部には、下皿１５に貯留された遊技球を下方へ排出する際に操作するための球抜きレバー１７が設けられている。この球抜きレバー１７は、常時、右方向に付勢されており、その付勢に抗して左方向へスライドさせることにより、下皿１５の底面に形成された底面口が開口して、その底面口から遊技球が自然落下して排出される。パチンコ機１０の特賞（大当たり等）により払い出される遊技球がパチンコ機１０の上皿１９及び下皿１５に充填された場合は、以降の遊技球の払い出し動作を円滑に行うために、遊技者によって球抜きレバー１７を操作して、下皿１５の下方空間に予め用意された収納箱１に移される。かかる球抜きレバー１７の操作は、通常、下皿１５の下方に、下皿１５から排出された遊技球を受け取る収納箱１を置いた状態で行われる。従って、下皿１５の下方部分には、１の収納箱１が配置可能な程度の空間が設けられている。即ち、下皿１５の配設位置は、パチンコ機１０の底面側から１の収納箱１の縦寸法を考慮した位置に配設されている。
【００１６】
また、下皿１５の右方には、遊技球発射ハンドル１８が下皿ユニット１３から手前側へ突出した状態で配設されると共に、下皿１５の左方には灰皿が片持状に取着されている。灰皿は下皿１５に回転可能に取着された軸と共に手前方向及び奥方向へ回転可能にされている。このように、下皿１５の一側に遊技球発射ハンドル１８を、他側に灰皿を配設することにより、下皿ユニット１３の左右の美的バランスを保ってパチンコ機１０の装飾性を向上させている。
【００１７】
一方、下皿１５の上方における前面枠セット１４には、球受皿としての上皿１９が一体的に設けられている。ここで、上皿１９は、遊技球を一旦貯留し、一列に整列させながら遊技球発射装置へ導出するためのものである。従来のパチンコ機では前面枠セットの下方において内枠に対し開閉可能な前飾り枠が設けられ、該前飾り枠に上皿が設けられていたが、本実施の形態では前飾り枠が省略され、前面枠セット１４に対し直接的に上皿１９が設けられている。これは、本実施の形態の前面枠セット１４は、従来のパチンコ機より大きく形成した遊技領域を外部から視認できるようにするために略楕円形状に大きく欠成された窓部１０１を備えているので、前面枠セット１４の強度を少しでも向上させるべく、該前面枠セット１４に上皿１９を一体化して形成しているのである。この上皿１９も下皿１５と同様に、少なくとも表面層が難燃性のＡＢＳ樹脂にて形成されている。
【００１８】
ここで、図４から図６を参照して、本実施の形態の収納箱１について説明する。図４は、収納箱１に対して弾性部材５の位置に応じたカバー４及び弾性部材５と収納箱２との関係を模式的に示した収納箱１の側面図である。図５は、弾性部材５が収納箱１の開口面６の上方位置にある状況におけるファスナー７の開閉状況を模式的に示した収納箱１の側面図である。図６は、２の収納箱１を積み重ねた斜視図である。
【００１９】
従来、遊技場では、出玉量に応じて１のパチンコ機１０で２以上の収納箱を使用する場合があり、２以上の収納箱を使用するときには、遊技球が収納された収納箱を遊技者が坐っている椅子３０１（図３参照）の近傍等に順に重ねて置くものである。また、遊技場には、遊技場の利潤を向上させるために、１の島を形成する台３００（図３参照）に少しでも多くのパチンコ機１０を配設して多くの遊技者に遊技をしてもらうように設計されている（図１及び図３参照）。従って、限られたスペースに多くのパチンコ機１０を配設しているため、通路等のスペースが限られており、例えば、地価が高い地域の遊技場では、人１人がやっと通れる程の通路しかない遊技場も存在している。
【００２０】
しかしながら、通路に収納箱１を置いてしまうと、人が通路を通過する際に収納箱１に躓いて収納箱をひっくり返してしまい、収納箱１に収納された遊技球を遊技場内に散乱させてしまうという問題点があった。
【００２１】
また、遊技者は、１の収納箱１にできるだけ多数の遊技球を収納させる傾向があるので、遊技球が収納箱１に山盛り状態となってしまい、例えば、景品交換時の収納箱１の移送時等に遊技球がこぼれて（落下して）、遊技者に不利益を与えてしまうという問題点があった。
【００２２】
そこで、本実施の形態の収納箱１では、収納箱１の側面の所定部（本実施例では、筐体部２の上位側）に、収納箱１の側面側を覆う伸縮性のカバー４の一端を取着し、そのカバー４の一端の非取着側に収納箱１の周縁の長さより短い伸縮性の弾性部材５を環状に配設する。このように構成することによって、弾性部材５は、収納箱１の側面位置において、弾性的に伸張することで該弾性部材５の弾性回復力によって収納箱１に圧着され、また、収納箱１の開口面６の上方位置において、弾性的に萎縮することで該収納箱１の開口面６をカバー４によって被覆させる。
【００２３】
本実施の形態の収納箱１は、筐体部２と、把持部３と、カバー４と、弾性部材５とで形成されている。収納箱１の筐体部２は、長方形状の底面と、該底面の外周縁から立ち上がった側壁とから構成されている。筐体部２の側壁は、非底面側ほど開くように傾斜しており、収納箱１同士を積み重ねたときに、下位部の収納箱１の筐体部２の内側に上位側の収納箱１の筐体部２が嵌り込むように構成されている。把持部３は、筐体部２の１の側壁とその側壁に対向する他の側壁との上端からそれぞれ外方に張り出すように設けられており、人が手を掛けて収納箱１を持ち上げやすい形状に構成されている。
【００２４】
カバー４は、筐体部２の側壁を覆うようにその一端が筐体部２の側壁の上位側に接着剤によって取着されており、伸縮性を有した素材で形成されており、例えば、ポリアミド等のナイロン素材や、ポリウレタン素材、ポリイミド素材、エンジニアプラスティック、或いは、ウール素材等が例示される。カバー４を伸縮性を有した素材で構成することによって、例えば、弾性部材５を筐体部２の開口面６の上方位置にした場合に、カバー４が伸張することによって、たとえ遊技球が収納箱１に山盛り状態となっていたとしても、遊技球をカバー４と筐体部２とで形成される空間に収納することができる。よって、筐体部２の開口面６からの遊技球の落下を防止することができるので、遊技者に不利益を与えてしまうことを未然に防止することができる。また、カバー４が伸縮性を有しているため、弾性部材５が筐体部２の側面位置にある状態において、カバー４による筐体部２の被覆割合を少なくすることができるので、空の収納箱１を積載する場合でも収納箱１同士におけるカバー４による干渉を極力少なくして多くの収納箱１を積載することができ、遊技場の省スペース化を図ることができる。
【００２５】
また、該カバー４は、難燃性を有した素材で形成されており、例えば、ポリアミド等のナイロン素材や、ポリウレタン素材、エンジニアプラスティック、塩化ビニル、或いは、ポリイミド素材等が例示される。一般的にパチンコ機１０等の遊技機にはタバコ用の灰皿が備えられている。また、収納箱１は、遊技機の近隣に配置されているため、難燃性を有した素材で構成されている。そこで、カバー４も難燃性を有した素材を用いることにより、パチンコ機１０周辺の防火性を向上することができる。
【００２６】
更に、本実施の形態では、カバー４の一端を筐体部２の開口面６側に取着すると共に、カバー４の他端に弾性部材５を取着するように構成する。カバー４は、筐体部２の開口面６を被覆するためのものであるので、筐体部２の開口面６を十分に覆うことができる面積があれば良い。よって、カバー４の非弾性部材５取着側を筐体部２の開口面６側に取着することで、１の収納箱１に使用するカバー４の量を少なくすることができるので、収納箱１の生産性を向上することができる。
【００２７】
また、カバー４を把持部３より下方位置に取着することにより、カバー４によって筐体部２の開口面６が被覆されていない場合、即ち、弾性部材５が筐体部２の側面側にある場合に、把持部３をカバー４によって覆われないようにすることができる。よって、カバー４によって筐体部２の開口面６が被覆されていない場合に、カバー４によって把持部３を被覆させないようにすることで、把持部３の機能を有効的に活用することができる。
【００２８】
カバー４の一端の筐体部２非取着側には、収納箱１の周縁の長さより短い伸縮性を有したゴム等で形成された弾性部材５が環状に配設されている。ここで、図４を参照して、収納箱１に対して弾性部材５の位置に応じたカバー４及び弾性部材５と収納箱２との関係を説明する。
【００２９】
図４（ａ）は、弾性部材５が収納箱１の筐体部２の側面に位置している状態を示した収納箱１の側面図である。この状態では、弾性部材５は、弾性的に伸張することによって、自身が有する弾性回復力によって筐体部２に圧着されている。従って、カバー４も弾性的に萎縮している状態であり、カバー４が筐体部２の側壁の側面を覆っている状態である。
【００３０】
図４（ｂ）は、図４（ａ）の状態から、弾性部材５を筐体部２の開口面６の上方位置にもってきた状態を示した収納箱１の側面図である。この状態では、弾性部材５が弾性的に伸張することで筐体部２の開口面６の上方位置にもってくることができる。また、この状態では、図４（ａ）の状態からカバー４が反転して裏面側が露出すると共に、カバー４が弾性的に伸張している状態である。
【００３１】
図４（ｃ）は、図４（ｂ）の状態から弾性部材５が弾性的に萎縮した状態を示した収納箱１の側面図である。この状態では、弾性部材５が弾性的に萎縮することによって、筐体部２とカバー４とで閉塞された空間を形成することができる。筐体部２とカバー４とで形成された空間は、カバー４が伸縮性を有してるため、筐体部２の容積よりも大きくすることができ、たとえ遊技球が収納箱１に山盛り状態となっていたとしても、遊技球をカバー４と筐体部２とで形成される空間に収納することができる。よって、筐体部２の開口面６からの遊技球の落下を防止することができるので、遊技者に不利益を与えてしまうことを未然に防止することができる。
【００３２】
次に、図５を参照して、カバー４に設けられたファスナー７について説明する。カバー４には、裏面側から開閉可能に構成されたファスナー７が取着されている。このファスナー７は、互いに噛み合う金属等の小片を２本の布テープに取り付けて開閉可能に構成されており、弾性部材５が筐体部２の開口面６の上方位置にある場合、即ち、カバー４の裏面側が露出している場合に、ファスナー７の摘み部が露出して開閉動作を行うことができるように構成されている。よって、弾性部材５を筐体部２の開口面６上方位置にすることで該開口面６がカバー４によって覆われている状態でも、図５（ａ）の状態から図５（ｂ）の状態のように、ファスナー７の開放動作を行うことによって、筐体部２とカバー４とで形成される空間に収納された遊技球を出入可能にすることができるので、遊技者の遊技状態に応じた様々な要求にも応じることができる。
【００３３】
次に、図６を参照して、２の収納箱１を積み重ねた場合について説明する。カバー４は伸縮性を有しているため、弾性部材５が筐体部２の側面位置にある状態において、カバー４による筐体部２の被覆割合を少なくしても、カバー４が伸張することによって、たとえ遊技球が収納箱１に山盛り状態となっていたとしても、遊技球をカバー４と筐体部２とで形成される空間に収納することができる。よって、弾性部材５が筐体部２の側面位置にある状態において、カバー４による筐体部２の被覆割合を少なくすることができるので、空の収納箱１を積載する場合でも収納箱１同士におけるカバー４による干渉を極力少なくして多くの収納箱１を積載することができ、遊技場の省スペース化を図ることができる。
【００３４】
以上説明したように、本実施の形態の収納箱１では、弾性部材５は、筐体部２の側面位置において、弾性的に伸張することで該弾性部材５の弾性回復力によって筐体部２に圧着され、また、筐体部２の開口面６の上方位置において、弾性的に萎縮することで該筐体部２の開口面６をカバー４によって被覆させる。従って、収納箱１に遊技球を収納した状態で弾性部材５を筐体部２の開口面６の上方位置にすることで、カバー４によって筐体部２の開口面６から遊技球が落下することを防止することができるので、遊技者に不利益を与えてしまうことを未然に防止することができる。
【００３５】
また、カバー４を伸縮性を有した素材で構成することによって、例えば、弾性部材５を筐体部２の開口面６の上方位置にした場合に、カバー４が伸張することによって、たとえ遊技球が収納箱１に山盛り状態となっていたとしても、遊技球をカバー４と筐体部２とで形成される空間に収納することができる。よって、筐体部２の開口面６からの遊技球の落下を防止することができるので、遊技者に不利益を与えてしまうことを未然に防止することができる。また、カバー４が伸縮性を有しているため、弾性部材５が筐体部２の側面位置にある状態において、カバー４による筐体部２の被覆割合を少なくすることができるので、空の収納箱１を積載する場合でも収納箱１同士におけるカバー４による干渉を極力少なくして多くの収納箱１を積載することができ、遊技場の省スペース化を図ることができる。
【００３６】
更に、カバー４にファスナー７を設けることによって、弾性部材５を筐体部２の開口面６上方位置にすることで該開口面６がカバー４によって覆われている状態でも、ファスナー７の開放動作を行うことによって、筐体部２とカバー４とで形成される空間に収納された遊技球を出入可能にすることができるので、遊技者の遊技状態に応じた様々な要求にも応じることができる。
【００３７】
また、収納箱１に遊技球が収納されていない場合には、遊技者は自らの所持品を収納箱１に入れる傾向がある。そこで、遊技者の所持品を入れた状態で弾性部材５を筐体部２の開口面６の上方位置にすることで、遊技者の所持品が盗難され難くすることができるので、遊技場内の防犯性を向上することができる。
【００３８】
更に、本実施の形態では、カバー４の一端を筐体部２の開口面６側に取着すると共に、カバー４の他端に弾性部材５を取着するように構成する。カバー４は、筐体部２の開口面６を被覆するためのものであるので、筐体部２の開口面６を十分に覆うことができる面積があれば良い。よって、カバー４の非弾性部材５取着側を筐体部２の開口面６側に取着することで、１の収納箱１に使用するカバー４の量を少なくすることができるので、収納箱１の生産性を向上することができる。
【００３９】
以上、実施の形態に基づき本発明を説明したが、本発明は上記実施の形態に何ら限定されるものではなく、本発明の趣旨を逸脱しない範囲内で種々の変形改良が可能であることは容易に推察できるものである。
【００４０】
例えば、本実施例の形態では、パチンコ機１０に使用する遊技球を収納するように記載していたが、これに代えて、スロットマシン等で使用するメダルを収納するようにしても良い。
【００４１】
また、本実施の形態では、互いに噛み合う金属等の小片を２本の布テープに取り付けて開閉可能に構成されたファスナー７を使用して、筐体部２とカバー４とで形成される空間に収納された遊技球を出入可能に構成していた。これに代えて、フック状とパイル状との２枚の布製のテープを用いて着脱自在に構成されたマジックテープを使用して、筐体部２とカバー４とで形成される空間に収納された遊技球を出入可能に構成しても良い。
【００４２】
以下に本発明の収納箱及び変形例を示す。遊技媒体を出入するための開口を有した箱状の本体部材と、その本体部材の両側面の前記開口側において外方に張り出す状態で一体成形された把持部とを備え、他の収納箱を載置可能に構成された収納箱において、前記本体部材の側面側の所定部分に取着されて、該本体部材の側面側を筒状に覆う被覆部材と、その被覆部材の一端側に取着されて、前記本体部材の側面側を環状に囲う伸縮性を有した弾性部材とを備え、前記弾性部材は、前記本体部材の側面位置において、弾性的に伸張することで、該弾性部材の弾性回復力によって前記本体部材に圧着されると共に、前記本体部材の開口上方位置において、弾性的に萎縮することで、前記被覆部材によって前記本体部材の開口を被覆させることを特徴とする収納箱１。
【００４３】
収納箱１において、前記絞込部材は、前記本体部材の側面側を環状に囲う伸縮性を有した弾性部材であり、前記弾性部材は、前記本体部材の側面位置において、弾性的に伸張することで、該弾性部材の弾性回復力によって前記被覆部材を固定すると共に、前記本体部材の開口上方位置において、弾性的に萎縮することで、前記被覆部材によって前記本体部材の開口を被覆させることを特徴とする収納箱２。弾性部材は、本体部材の側面位置において、弾性的に伸張することで該弾性部材の弾性回復力によって被覆部材を固定し、また、本体部材の開口上方位置において、弾性的に萎縮することで該本体部材の開口を被覆部材によって被覆させる。従って、収納箱に遊技媒体を収納した状態で弾性部材を本体部材の上方位置にすることで、被覆部材によって本体部材の開口から遊技媒体が落下することを防止することができるので、遊技者に不利益を与えてしまうことを未然に防止することができる。
【００４４】
収納箱１又は２において、前記被覆部材は、伸縮性を有した繊維又はフィルムで構成されていることを特徴とする収納箱３。被覆部材を伸縮性を有した繊維又はフィルムで構成することによって、例えば、絞込部材を本体部材の開口上方位置にした場合に、被覆部材が伸張することによって、たとえ遊技媒体が収納箱に山盛り状態となっていたとしても、遊技媒体を被覆部材と本体部材とで形成される空間に収納することができる。よって、本体部材の開口からの遊技媒体の落下をより防止することができるので、遊技者に不利益を与えてしまうことを未然に防止することができる。また、絞込部材が本体部材の側面位置にある状態において、被覆部材による本体部材の被覆割合を少なくすることができるので、空の収納箱を積載する場合でも収納箱同士における被覆部材による干渉を極力少なくして多くの収納箱を積載することができ、遊技場の省スペース化を図ることができる。なお、伸縮性を有した繊維又はフィルムとしては、例えば、ポリアミド等のナイロン素材や、ポリウレタン素材、ポリイミド素材、エンジニアプラスティック、或いは、ウール素材等が例示される。
【００４５】
収納箱１から３のいずれかにおいて、前記被覆部材は、難燃性を有した素材で構成されていることを特徴とする収納箱４。一般的に遊技機等にはタバコ用の灰皿が備えられている。また、収納箱は、遊技機の近隣に配置されているため、難燃性を有した素材で構成されている。そこで、被覆部材も難燃性を有した素材を用いることにより、遊技機周辺の防火性を向上することができる。なお、難燃性を有した素材としては、例えば、ポリアミド等のナイロン素材や、ポリウレタン素材、エンジニアプラスティック、塩化ビニル、或いは、ポリイミド素材等が例示される。
【００４６】
収納箱１から４のいずれかにおいて、前記被覆部材は、所定部に開閉可能な開閉部材を備えていることを特徴とする収納箱５。被覆部材の所定部に開閉可能な開閉部材を配設することによって、絞込部材を本体部材の開口上方位置にすることで該開口が被覆部材によって被覆されている状態でも、開閉部材を開閉することで本体部材に収納された遊技媒体を出入可能にすることができる。なお、開閉部材としては、例えば、互いに噛み合う金属等の小片を２本の布テープに取り付けて開閉可能に構成されたファスナーや、フック状とパイル状との２枚の布製のテープを用いて着脱自在に構成されたマジックテープ等が例示される。
【００４７】
収納箱１から５のいずれかにおいて、前記被覆部材は、その一端が前記本体部材の開口側に取着されるように構成されていることを特徴とする収納箱６。被覆部材の一端を本体部材の開口側に取着すると共に、被覆部材の他端に絞込部材を取着するように構成する。被覆部材は、本体部材の開口を被覆するためのものであるので、本体部材の開口を十分に覆うことができる面積があれば良い。よって、被覆部材の非絞込部材取着側を本体部材の開口側に取着することで、１の収納箱に使用する被覆部材の量を少なくすることができるので、収納箱の生産性を向上することができる。
【００４８】
収納箱１から６のいずれかにおいて、前記把持部は、前記本体部材の側面側上端に該本体部材と一体成形されており、前記被覆部材は、前記把持部より下方位置に取着されることを特徴とする収納箱７。被覆部材を把持部より下方位置に取着することにより、被覆部材によって本体部材の開口が被覆されていない場合、即ち、絞込部材が本体部材の側面側にある場合に、把持部を被覆部材によって覆われないようにすることができる。よって、被覆部材によって本体部材の開口が被覆されていない場合に、被覆部材によって把持部を被覆させないようにすることで、把持部の機能を有効的に活用することができる。
【図面の簡単な説明】
【００４９】
【図１】複数のパチンコ機を配設した遊技場の遊技システムを模式的に示した外観図である。
【図２】パチンコ機の正面図である。
【図３】遊技者が遊技を行っている状況を模式的に示した側面図である。
【図４】収納箱に対して弾性部材の位置に応じたカバー及び弾性部材と収納箱との関係を模式的に示した収納箱の側面図である。
【図５】弾性部材が収納箱の開口面の上方位置にある状況におけるファスナーの開閉状況を模式的に示した収納箱の側面図である。
【図６】２の収納箱を積み重ねた斜視図である。
【符号の説明】
【００５０】
１          収納箱
２          筐体部（本体部材）
３          把持部
４          カバー（被覆部材）
５          弾性部材
６          開口面（開口）
【図１】
2005118412.tif 000003
【図２】
2005118412.tif 000004
【図３】
2005118412.tif 000005
【図４】
2005118412.tif 000006
【図５】
2005118412.tif 000007
【図６】
2005118412.tif 000008